(57)【要約】【課題】第１第２の読取部を所定角度傾斜した平面上に配置した装置構成において正確な画像読取が可能であり、同時に読取り光学系を簡単に変更することを可能にする。【解決手段】装置ハウジング１０と、この装置ハウジングに配置され、互いに所定角度傾斜した平面に第１読取部１１aと第２読取部１１ｂを形成するプラテン１１と、第１読取部と第２読取部との間を位置移動可能に配置された読取キャリッジ１２、４０と、読取キャリッジに搭載され、プラテン上の原稿に光を照射する光源ランプ１５、４１及び原稿からの反射光を画像読取手段１３に向けて案内する反射ミラー１６、４２と、を備え、読取キャリッジが第２読取部に位置するときには、反射ミラー１６の角度姿勢が所定角度偏向するように構成するか、若しくは第２読取部に配置された偏光手段４６で反射ミラー４２に反射光を導くように構成する。【選択図】図３
2011135475.tif 000002
【特許請求の範囲】
【請求項１】
原稿を載置する第１読取部と、この第１読取部に対して所定角度傾斜して原稿を走行させる第２読取部とを有する装置であって、
装置ハウジングと、
前記装置ハウジングに配置され、前記第１読取部と第２読取部を形成するプラテンと、
前記第１読取部と第２読取部との間を位置移動可能に配置された読取キャリッジと、
前記読取キャリッジに搭載され、前記プラテン上の原稿に光を照射する光源ランプ及び原稿からの反射光を画像読取手段に向けて案内する反射ミラーと、
を備え、
前記読取キャリッジが前記第２読取部に位置するときには、
前記反射ミラーの角度姿勢が所定角度偏向するように構成されているか、若しくは前記第２読取部に配置された偏光手段で前記反射ミラーに反射光を導くように構成されていることを特徴とする画像読取装置。
【請求項２】
前記読取キャリッジに搭載された反射ミラーの少なくとも１つは、キャリッジフレームに回転可能に軸支持されていると共に、この反射ミラーを所定角度姿勢偏向するように回転するシフト手段が設けられていることを特徴とする請求項１に記載の画像読取装置。
【請求項３】
前記回転可能に支持された反射ミラーには、一方向に回転付勢する付勢手段と、位置規制ストッパが設けられ、
前記シフト手段は、
前記読取キャリッジが前記第２読取部に位置するとき、回転可能な前記反射ミラーを、前記付勢手段に抗して姿勢偏向する規制部材で構成されていることを特徴とする請求項２に記載の画像読取装置。
【請求項４】
前記装置ハウジングには、前記第２読取部を走行する原稿の反射光を所定方向に導く偏光手段が配置され、
この偏光手段は、前記第２読取部に位置する前記読取キャリッジの反射ミラーに原稿の反射光を導くように構成されていることを特徴とする請求項１に記載の画像読取装置。
【請求項５】
前記第１読取部の原稿と、前記第２読取部の原稿に光を照射する光源ランプには次のいずれかの光量調整手段、
（１）前記読取キャリッジに搭載された光源ランプに供給する電力を高低調節する光量調整手段、
（２）前記読取キャリッジに搭載された第１第２、少なくとも２つの光源ランプを選択的に点灯する光量調整手段、
（３）第１、第２少なくとも２つの光源ランプを同時点灯するか、片側点灯する光量調整手段、
が備えられ、前記第１読取部の原稿と前記第２読取部の原稿に異なる光量の光を照射することを特徴とする請求項１に記載の画像読取装置。
【請求項６】
前記第２読取部には、原稿を供給する原稿給送ユニットが備えられ、
この原稿給送ユニットは、前記第２読取部に原稿を湾曲したパスで給送する湾曲給送経路と、原稿を直線的なパスで給送するストレート給送経路を有していることを特徴とする請求項１に記載の画像読取装置。
【請求項７】
前記装置ハウジングには、前記読取キャリッジから送られた反射光を集光する集光レンズと、この集光レンズからの光を光電変換する画像読取手段が配置されていることを特徴とする請求項１に記載の画像読取装置。
【発明の詳細な説明】
【技術分野】
【０００１】
本発明はスキャナ装置、複写機、ファクシミリ等に使用される原稿を読み取る画像読取装置に係わり、載置セットした原稿の読取部と、所定速度で走行する原稿を読取る読取部を備えた読み取り機構の改良に関する。
【背景技術】
【０００２】
一般に、原稿を読み取るスキャナ装置は、例えばコンピュータシステムの入力装置として、或いは複写機、ファクシミリ等の原稿読取装置として広く知られている。そしてその構造として、プラテン上にセットした原稿シートを、このプラテンに沿って移動する光学キャリッジによって線順位で画像読取りする装置が知られている。
【０００３】
この種のスキャナ装置は、例えば特許文献１に開示されているようにプラテンに沿って往復動する光学ユニット（以下「光学キャリッジ」という）を設け、この光学ユニットに光源ランプと、この光源からの光の反射光をミラーで所定方向に変更して集光レンズで光センサに導き、この光センサで光電変換した電気信号を電気的に処理（例えばデジタル化）して出力する装置が知られている。
【０００４】
そして特許文献１には、画像読取プラテンは静止原稿をセットする読取部（第１プラテン）と、所定速度で移動する走行原稿を読取る読取部（第２プラテン）を備え、プラテンの上方にフィーダユニットを設けて、その給紙トレイから原稿を第２プラテンに給送し、画像読取後の原稿を排紙トレイに収納する装置が開示されている。
【０００５】
従来このような画像読取プラテンに第１、第２の読取部を設け、その一方をフラットベットプラテンで、他方をスリット露光プラテンで構成する場合、文献１のように第１読取部と第２読取部を同一平面上に形成している。これは画像読取のための読取キャリッジを共通にして、その位置を水平移動することによって第１、第２の読取部で画像読取するためである。
【０００６】
そして、第１、第２、２つの読取部を１枚の平面ガラスで、その一端に第１読取部を、他端に第２読取部を形成する場合と、それぞれ個別のガラス板で両読取部を形成する場合が知られている。
【先行技術文献】
【特許文献】
【０００７】
【特許文献１】特許４２９４６５５号公報
【発明の概要】
【発明が解決しようとする課題】
【０００８】
上述のように第１第２、２つの読取部を備えた画像読取装置において、従来は２つの読取部を同一平面上に構成し、この平面に沿って読取キャリッジが平行移動するように構成している。このため静止原稿をセットするフラットベットプラテンに対して走行原稿を読取るスリット露光プラテンが同一平面となり、プラテン上方に配置するフィーダユニットはプラテン上方に配置したトレイから読取部に原稿を給送し、この読取部から上方に原稿を掬い上げてトレイに収納する構成となる。
【０００９】
このためフィーダユニットは例えばＵ字状など湾曲した経路で原稿搬送パスを構成することが余儀なくされる。このような湾曲した搬送パスでは厚い原稿シート、コーティングシートなど特殊な原稿は搬送負荷で搬送不良を招く。ところが最近カラー原稿など表面をコーティングされた光沢紙、或いは表紙シートなど厚手シートが多用されるようになり、フィーダユニットで給送する際に搬送斑が生じたり、原稿シートが棄損したりする問題が頻発している。
【００１０】
そこで本発明者は、フラットベットプラテンに対してスリット露光プラテンを所定角度傾斜させることによって上方に配置するフィーダユニットの搬送経路を直線的なストレートパスに構成することが可能であるとの知見に至った。この場合に両プラテンを共通の読取キャリッジで画像読取するには読取り光学系を変更する必要が生ずる。
【００１１】
本発明は、第１第２の読取部を所定角度傾斜した平面上に配置した装置構成において正確な画像読取が可能であり、同時に読取り光学系を簡単に変更することが可能である画像読取装置の提供をその主な課題としている。
【課題を解決するための手段】
【００１２】
上記課題を達成するため本発明は、装置ハウジングに所定角度傾斜した平面に第１読取部と第２読取部を配置し、この両読取部の間を位置移動する読取キャリッジに光源ランプと原稿からの反射光を画像読取手段に向けて案内する反射ミラーを搭載する。そしてキャリッジが第２読取部に位置するときには反射ミラーの角度姿勢を所定角度偏向するように構成するか、若しくは第２読取部に配置した偏光手段で反射ミラーに原稿からの反射光を導くように構成することを特徴としている。これによって第１第２読取部それぞれに画像読取ユニットを配置する必要も、また画像読取ユニット全体を角度変更する必要もなく、簡単な構造で精度の良い画像読取が可能となる。
【００１３】
更にその構成を詳述すると、原稿を載置する第１読取部（１１ａ）と、この第１読取部に対して所定角度傾斜して原稿を走行させる第２読取部（１１ｂ）とを有する装置であって、装置ハウジング（１０）と、この装置ハウジングに配置され、互いに所定角度傾斜した平面に第１読取部と第２読取部を形成するプラテン（１１）と、第１読取部と第２読取部との間を位置移動可能に配置された読取キャリッジ（１２、４０）と、読取キャリッジに搭載され、プラテン上の原稿に光を照射する光源ランプ（１５、４１）及び原稿からの反射光を画像読取手段（１３、４４）に向けて案内する反射ミラー（１６、４２）と、を備え、読取キャリッジが第２読取部に位置するときには、反射ミラー（１６）の角度姿勢が所定角度偏向するように構成するか、若しくは第２読取部に配置された偏光手段（４６）で反射ミラー（４２）に反射光を導くように構成する。
【発明の効果】
【００１４】
本発明は、所定角度傾斜した平面に第１読取部と第２読取部を配置し、この両読取部間を位置移動する読取キャリッジに光源ランプと反射ミラーを搭載し、読取キャリッジが第２読取部に位置するときには反射ミラーの角度姿勢を所定角度変更するか、或いは第２読取部に配置した偏光手段で原稿からの反射光を反射ミラーに案内するようにしたものであるから以下の効果を奏する。
【００１５】
第１、第２読取部は所定角度傾斜した平面内に配置されているから、従来の同一平面上に配置する場合に比べ、この第２読取部に原稿を給送するフィーダユニットの搬送経路を例えば直線的なストレートパスに構成するなどパス形状を自由に設定することが可能となる。
【００１６】
これと共に読取キャリッジを第１第２読取部間で位置移動することによって両読取部の画像を読み取ることが可能となる。このため両読取部それぞれに読取ユニットを配置する必要がなく装置を小型コンパクトに構成することが出来る。
【００１７】
更に本発明は、読取キャリッジに配置した反射ミラーの角度姿勢を所定角度偏向するように構成することによって、読取キャリッジ全体の角度姿勢を偏向する必要がなく簡単な構造で角度の異なる２つの読取部の画像を読み取ることが出来る。従って例えば読取キャリッジのユニットフレームを第１読取部に沿って往復移動可能に支持し、その延長上に第２読取部を配置することによって安定した状態で正確に読取キャリッジを位置移動することが可能となり、正確な画像読取が得られる。
【００１８】
また、本発明は、第２読取部にミラーなどの偏光手段を設け、この偏光手段で第２読取部を送稿する原稿からの反射光を読取キャリッジに配置した反射ミラーに案内するように構成することによって、特別なシフト手段とその駆動手段を設けることなく読取キャリッジの位置移動によって読取り光学系を異なる読取位置に適合させることが出来る。
【図面の簡単な説明】
【００１９】
【図１】本発明に係わる画像読取装置と原稿給送装置の全体構成の説明図。
【図２】図１の装置における画像読取部の詳細説明図であり、（ａ）は読取キャリッジの構成を示し、（ｂ）は反射ミラーの角度偏向機構の説明図。
【図３】読取キャリッジの第１実施形態を示し、（ａ）は第１読取部に位置するとき、（ｂ）は第２読取部に位置するときの説明図。
【図４】読取キャリッジの第２実施形態を示し、（ａ）は第１読取部に位置するとき、（ｂ）は第２読取部に位置するときの説明図。
【発明を実施するための形態】
【００２０】
図１に示す装置は、画像読取装置（スキャナユニット）Ａと、これに装着された原稿給送装置（フィーダユニット）Ｂとから構成されている。画像読取装置Ａは装置ハウジング１０と、これに装備されたプラテン１１と、読取キャリッジ１２と、画像読取手段１３で構成されている。また原稿給送装置Ｂのハウジング２０と、これに装備された給紙トレイ２１と排紙トレイ２２と原稿給送経路（U字状湾曲パス）２３とで構成され、同時に特殊原稿を手差し給送する手差トレイ２４と原稿給送経路（ストレートパス）２５が備えられている。以下各構成について詳述する。
【００２１】
［画像読取装置の構成］
画像読取装置Ａは、装置ハウジング１０が合成樹脂のモールド成形などで適宜形状に形成されている。このハウジングを構成する外装ケースにはプラテンガラスで構成される第１読取部１１ａと、この第１読取部１１ａに対して所定角度α（図３に示す）傾斜した第２読取部１１ｂが設けられている。この第１第２読取部１１ａ、１１ｂでプラテン１１が構成され、図示のように異なる２枚の板ガラスで形成しても、１枚の板ガラス（屈曲板ガラス）で形成してもいずれでも良い。
【００２２】
上記プラテン１１は、その第１読取部１１ａに原稿を載置セットして読取るフラットプラテン（フラットベットプラテン構造；以下同様）に、その第２読取部１１ｂに所定速度で移動する走行原稿を読取るスリットプラテン（スリット露光プラテン構造；以下同様）に構成されている。
【００２３】
そして上述したように第１読取部１１ａに対して第２読取部１１ｂは角度α（０度＜α＜９０度）で傾斜させてある。これは両読取部が同一平面のときにはスリットプラテン１１ｂに原稿を給排送する際に、フラットプラテン１１ａの原稿押えカバー、位置決めスケールなどが障害となり、これを避けるためU字状湾曲パスで原稿を給排送しなければならない。
【００２４】
そこでスリットプラテン１１ｂを所定角度で傾斜させることによってフラットプラテン１１ａの上方から下方に、或いは下方から上方に原稿を直線的なストレートパスで搬送する為である。これによって厚紙シート或いはローラ痕が生じ易いコーティングシートなどの原稿をスリットプラテン１１ｂで自動的に読取ることが出来る。
【００２５】
上記読取キャリッジ１２は、種々の構成が知られているが本発明はそのいずれの構成を採用することも可能である。第1のキャリッジ構造は、図２に示すようにキャリッジフレーム１４に光源ランプ１５と、反射ミラー１６を内蔵し、装置フレーム（シャーシなど）１０ｆに集光レンズ１７と画像読取手段１３をマウントする。
【００２６】
第２のキャリッジ構造は後述する図４に示すようにキャリッジフレーム４０ｆに光源ランプ４１ａ、４１ｂと、反射ミラー４２（第１ミラー４２ａ、第２ミラー４２ｂ、第３ミラー４２ｃ、第４ミラー４２ｄ）と、集光レンズ４３と、光電変換センサ（読取センサ；画像読取手段）４４を内蔵する。
【００２７】
このように読取キャリッジ１２は、光源ランプ１５と反射ミラー１６（少なくとも１つ）をキャリッジフレーム１４に内蔵した構造であっても、光源ランプ４１ａ、４１ｂと反射ミラー４２と集光レンズ４３と光電変換センサ（読取センサ）４４をキャリッジフレーム４０ｆに内蔵する構造であってもいずれでも良い。
【００２８】
上記光源ランプ１５は、耐熱性樹脂で形成したキャリッジフレーム１４のランプ収容部１４ｘに固定されている。この光源ランプ１５は、蛍光管（ＣＣＦＬ）、ＬＥＤランプ、キセノンランプなど棒状発光体であれば、いずれの構成でも良い。また、反射ミラー１６は、板状ガラスミラー、プリズムなど所定方向からの光を読取センサ（画像読取手段）１３に向けて方向変換するものであればいずれの構成であっても良い。
【００２９】
上述のように構成された読取キャリッジ１２は、装置ハウジング１０に第１読取部（フラットプラテン）１１ａに沿って往復動可能に取り付けられる。図示の装置は図１に示すように装置ハウジング１０にガイドレール１９が左右一対平行に配置され、このガイドレール（図示のものはロッド）１９にキャリッジフレーム１４が軸受け支持されている。
【００３０】
従って読取キャリッジ１２は図１左右方向にフラットプラテン（第１読取部）１１ａに沿って往復動可能に支持されることとなる。そして装置ハウジング１０には図示しないが一対のプーリが配置され。このプーリ間にタイミングベルト、ワイヤなどの牽引部材が架け渡され、このプーリの一方はキャリッジモータに連結されている。このキャリッジモータを正逆転することによって読取キャリッジ１２は図１左右方向に往復動する。
【００３１】
そこで本発明は上述の読取キャリッジ１２を第１読取部１１ａと第２読取部１１ｂ間で位置移動可能に構成する。その構成は前述のガイドレール１９を両読取部の間で移動可能に延長する。そして第１読取部１１ａに位置するときと、第２読取部１１ｂに位置するときの読取りを次のように変更することを特徴としている。
【００３２】
第１の方法は、読取キャリッジ１２に搭載した反射ミラー１６の角度姿勢を所定角度偏向する機構であり、第２の方法は第２読取部１１ｂに偏光手段４６を設け、キャリッジ１２の反射ミラー１６に第２読取部１１ｂを走行する原稿からの反射光を案内する機構である。第１の方法を第１実施形態として、第２の方法を第２実施形態として以下に説明する。
【００３３】
［第１実施形態］
図２及び図３に示すように読取キャリッジ１２には第１読取部１１ａ上の原稿に向けて偏光する第１ミラー１６ａ、この反射ミラーからの光を第２ミラ−１６ｂ、第３ミラー１６ｃ、第４ミラー１６ｄの順に読取光路Ｒ１が形成され、第４ミラー１６ｄから集光レンズ１７に導かれ、このレンズで読取センサ（画像読取手段）１３に結像するように構成されている。
【００３４】
そこで反射ミラー１６を構成する少なくとも１つのミラー（図示のものは第１ミラー１６ａ）を角度姿勢が所定角度偏向するように回転可能に構成する。図示のものは図２（ｂ）に示すように第１ミラー１６ａのブラケット３１をキャリッジフレーム１４に支軸３２で回転可能に軸支持している。そしてブラケット３１には付勢スプリング（付勢手段）３３がキャリッジフレーム１４との間に反射ミラー１６ａを同図時計方向に回転するように架け渡してある。
【００３５】
このキャリッジフレーム１４には規制ストッパ３４が設けてあり、第１ミラー１６ａは付勢スプリング３３の作用でこの規制ストッパ３４に位置決めされ、その角度姿勢が第１の角度位置（θ１）に保持されている。この状態を図３（ａ）に示すが、第１ミラー１６ａは第１の角度位置（θ１）に保持され、第１読取部１１ａ上の原稿からの反射光を読取センサ（画像読取手段）１３に案内する読取光路Ｒ１を形成している。
【００３６】
上記ブラケット３１にはカムレバー３５が一体に形成され、このカムレバー３５は装置フレーム１０ｆの第２読取部１１ｂに配置された規制部材３６と係合して第１ミラー１６ａを図３（ｂ）の状態に角度姿勢を第２の角度位置（θ２）に姿勢変更する。そしてこの状態では第２読取部１１ｂを移動する走行原稿からの反射光を読取センサ（画像読取手段）１３に案内する読取光路Ｒ２を形成している。
【００３７】
従って回転可能な反射ミラー（第１ミラー）１６ａの角度姿勢を第１の角度位置（θ１）から第２の角度位置（θ２）に姿勢偏向するシフト手段３７を規制部材３６と読取キャリッジ１２を第１読取部１１ａから第２読取部１１ｂに移動するキャリッジモータ（不図示）で構成している。
【００３８】
このような構成において、読取キャリッジ１２を第１読取部１１ａから第２読取部１１ｂに移動すると、規制部材３６が反射ミラー（第１ミラー）１６ａを第１の角度位置（θ１）から第２の角度位置（θ２）に姿勢変更し、逆に読取キャリッジ１２を第２読取部１１ｂから第１読取部１１ａに移動すると、反射ミラー（第１ミラー）１６ａは第２の角度位置（θ２）から第１の角度位置（θ１）に姿勢変更することとなる。
【００３９】
図示の実施形態において、キャリッジフレーム１４には、第１光源ランプ１５ａと第２光源ランプ１５ｂが搭載されている。そして第１読取部１１ａ上の原稿を読取るときには第１光源ランプ１５ａを点灯し、第２光源ランプ１５ｂを消灯する。また第２読取部１１ｂ上の原稿を読取るときには、第１第２光源ランプ１５ａ、１５ｂを共に点灯する。
【００４０】
これは第１読取部１１ａに沿って移動する読取キャリッジ１２の走行速度に比べて第２読取部１１ｂを移動する原稿の走向速度を高速にする（高速読取り）関係で光量調整する為である。なお、第１読取部１１ａと反射ミラー（第１ミラー）１６ａ間の距離と、第２読取部１１ｂと反射ミラー（第１ミラー）１６ａ間の距離は、光路長が等しくなるように等距離に設定されている。
【００４１】
［第２実施形態］
図４に、第２実施形態を示すが、図示の読取キャリッジ４０は前述したようにキャリッジフレーム４０ｆに光源ランプ４１ａと、反射ミラー４２と、集光レンズ４３と、読取センサ（画像読取手段）４４を内蔵し、このキャリッジフレーム４０ｆを左右一対のガイドレール４５で第１読取部１１ａと第２読取部１１ｂとの間で位置移動可能に構成されている。
【００４２】
そこで同図に示す実施形態は、第２読取部１１ｂに沿って走行する原稿からの反射光をキャリッジフレーム４０ｆに搭載された反射ミラー４２に案内する偏光手段４６が配置してある。装置ハウジング１０には第２読取部１１ｂにブラケット４７が設けられ、このブラケット４７に偏光手段４６が固定されている。
【００４３】
偏光手段４６はミラー、プリズム、光ファイバーなど光を所定方向に偏光して案内する素子を使用する。そしてこの偏光手段４６は、図４（ｂ）に示す読取キャリッジ４０が第２読取部１１ｂに位置するとき、この読取キャリッジに搭載されている反射ミラー（図示のものは第１ミラー４２ａ）に原稿からの反射光を導く位置関係に設定されている。
【００４４】
図示のブラケット４７には、偏光手段４６と第２光源ランプ４１ｂをマウントしたユニットフレーム４８が取付けられ、このブラケット４７は装置ハウジング１０の側壁に固定されている。そして第２光源ランプ４１ｂは第２読取部１１ｂ上を走行する原稿に光を照射し、その反射光を偏光手段４６で読取キャリッジ４０の第１ミラー４２ａに案内するように構成されている。
【００４５】
従って、図示しないキャリッジモータで読取キャリッジ４０を第１読取部１１ａに位置付けると図４（ａ）に示すように第１読取部１１ａ上の原稿を光源ランプ４１ａで照射し、その反射光を第１ミラー４２ａから第４ミラー４２ｄ間で光路を形成し、第４ミラー４２ｄからの光は集光レンズ４３で読取センサ（画像読取手段）４４上に結像する読取光路Ｒ１が構成される。そして読取キャリッジ４０はキャリッジモータ（不図示）によって第１読取部１１ａにセットされている原稿に沿って、その一端から他端に移動しながら画像読取りすることとなる。
【００４６】
そこでキャリッジモータを回転制御して読取キャリッジ４０を第１読取部１１ａから第２読取部１１ｂに位置移動すると、図４（ｂ）に示すように第２読取部１１ｂ上の原稿を第１光源ランプ４１ａと第２光源ランプ４１ｂで照射し、その反射光を偏光手段４６で読取キャリッジ４０に搭載されている第１ミラー４２ａに導き、第１ミラー４２ａから第４ミラー４２ｄを介して集光レンズ４３に案内され読取センサ（画像読取手段）４４上に結像する読取光路Ｒ２が構成されることとなる。尚、図４に示す装置には集光レンズ４３にフォーカシング機構（不図示）が内蔵してあり、読取光路Ｌ１、Ｌ２の光路長に応じてその位置を修正するようになっている。
【００４７】
［光源ランプの構成］
上述の第１及び第２実施形態における光源ランプの構成について説明すると、光源ランプ１５（４１）は棒状発光体（蛍光管（ＣＣＦＬ）、キセノン、ＬＥＤなど）で構成される。この光源ランプ１５（４１）は図示のように２つのランプで構成する必然性はなく、１本或いは３本以上のランプで構成しても良い。この場合、後述するフィーダユニットＢでは、第２読取部１１ｂを走行する原稿の速度を、第１読取部１１ａに沿って読取キャリッジ１２（４０）が移動する速度より高速にしている。
【００４８】
つまり、第１読取部１１ａの読取り速度より第２読取部１１ｂの読取り速度を高速にしている。このため原稿に照射する光量を第１読取部１１ａより第２読取部１１ｂを高くすることが好ましい。
【００４９】
このような光量調整は次のいずれかの方法を採用することによって可能である。（１）読取キャリッジ１２（４０）に搭載された光源ランプ１５（４１）に供給する電力を高低調節する。例えば光源ランプに電源を供給する電源供給回路に供給電圧又は供給電流の切り換え手段を設け、ランプに供給する電力を高低調整する光量調整手段を設ける。この光量調整手段はＰＷＭ制御として広く知られているのでその詳細説明を省く。
【００５０】
（２）読取キャリッジ１２（４０）に搭載された第１第２、少なくとも２つの光源ランプ１５（４１）を選択的に点灯する光量調整手段を設ける。前述の第１実施形態では読取キャリッジ１２に第１光源ランプ１５ａと第２光源ランプ１５ｂが搭載され、第１光源ランプ１５ａは第１読取部１１ａ上の原稿に光を照射する位置に、第２光源ランプ１５ｂは第２読取部１１ｂ上の原稿に光を照射する位置に配置されている。そして第２光源ランプ１５ｂの発光量は第１光源ランプ１５ａの発光量より大きくなるように構成されている。
【００５１】
このような構成において読取キャリッジ１２が第１読取部１１ａに位置するときには第１光源ランプ１５ａを、第２読取部１１ｂに位置するときには第２光源ランプ１５ｂを点灯する。これによって原稿に照射する光量を調整することが可能となり、供給電源を「ＯＮ」「ＯＦＦ」するスイッチング回路が光量調整手段を構成することとなる。
【００５２】
（３）第１、第２少なくとも２つの光源ランプを同時点灯するか、片側点灯する光量調整手段を設ける。前述の第２実施形態では読取キャリッジ４０に第１光源ランプ４１ａが、ユニットフレーム４８に第２光源ランプ４１ｂが配置されている。そして第１光源ランプ４１ａは第１読取部１１ａ上の原稿に光を照射するのと同時に第２読取部１１ｂ上の原稿に光を照射することが可能な位置に配置されている。
【００５３】
そして読取キャリッジ４０が第１読取部１１ａに位置するときには第１光源ランプ４１ａに電源を供給し、読取キャリッジ４０が第２読取部１１ｂに位置するときには第１光源ランプ４１ａと同時に第２光源ランプ４１ｂに電源を供給する。これによって光量調整が可能となり、供給電源を「ＯＮ」「ＯＦＦ」するスイッチング回路が光量調整手段を構成することとなる。
【００５４】
［画像読取手段］
上述の画像読取センサ1３（４４）は、ＣＣＤなどの光電変換センサで構成され、集光レンズ１７（４３）から送られた原稿の反射光を光電変換する。特に、図示の画像読取センサ１３（４４）は、カラーラインセンサで構成され、Ｒ(Red）、Ｇ(Green)、Ｂ(Blue)の各画素を構成するセンサ素子をライン状に３列配置している。このような構成の画像読取センサ１３（４４）は基板に取付けられ、この基板がキャリッジフレーム１４（４０ｆ）またはシャーシ（装置フレーム）に固定されている。そして第１第２読取部１１ａ、１１ｂ上の原稿を線順位に読取って、その電子データに画像処理を施した後に外部機器にデータ転送する。
【００５５】
［原稿給送装置の構成］
原稿給送装置（フィーダユニット；以下同様）Ｂは図１に示すように上述の第１読取部１１ａを覆うようにその上方に配置され、第２読取部１１ｂに原稿を自動給送する。このためハウジング２０に原稿を載置する給紙トレイ２１と、読取部からの原稿を収容する排紙トレイ２２が第１読取部１１ａの上方に上下に配置されている。
【００５６】
この給紙トレイ２１と排紙トレイ２２との間には、第２読取部１１ｂを介して原稿を所定速度で移送する湾曲給送経路２３が設けられ、この経路は図示のように略々U字形状のパスで構成されている。この湾曲給送経路２３には、上流側からレジストローラ対２６とリードローラ２７と、搬出ローラ２８と排紙ローラ２９がこの順に配置されている。
【００５７】
そして第２読取部１１ｂにはバックアップローラ１８が従動ローラとして配置されている。また給紙トレイ２１には、ピックアップローラ２１ａ、給紙ローラ２１ｂが配置され、給紙ローラ２１ｂには分離ローラ２１ｃが配置されている。図示３８は循環経路であり、第２読取部１１ｂで表面を読み取った原稿をスイッチバック搬送して裏面を再び第２読取部１１ｂに搬送する両面読取りのための経路である。
【００５８】
上述の原稿給送装置Ｂには手差トレイ２４が設けられ、この手差トレイ２４は第２読取部１１ｂの上方又は下方に略々直線状の経路を構成するように配置されている。図示のものは第２読取部１１ｂの下方に配置され、その入口には搬入ローラ対３９と原稿センサＳｅ１が配置されている。そしてこの手差トレイ２４と、前述の排紙トレイ２２とは原稿を直線的なパスで給送するストレート給送経路２５が設けられている。上記搬入ローラ対３９は、手差トレイ２４に沿って原稿が準備されたとき原稿センサＳｅ１でこれを検出し、駆動モータ（不図示）によって駆動され、原稿を第２読取部１１ｂに移送する。そしてこの原稿は搬出ローラ２８と排紙ローラ２９で排紙トレイ２２に移送される。
【符号の説明】
【００５９】
Ａ        画像読取装置（スキャナユニット）
Ｂ        原稿給送装置（フィーダユニット）
１０      装置ハウジング
１１      プラテン
１１ａ    第１読取部（フラットプラテン）
１１ｂ    第２読取部（スリットプラテン）
１２      読取キャリッジ
１３      画像読取手段（読取センサ）
１５      光源ランプ
１５ａ    第１光源ランプ
１５ｂ    第２光源ランプ
１６      反射ミラー
１６ａ    第１ミラー
２２      排紙トレイ
２３      湾曲給送経路（U字状湾曲パス）
２４      手差トレイ
２５      ストレート給送経路（ストレートパス）
３１      ブラケット
３２      支軸
３３      付勢スプリング（付勢手段）
３４      規制ストッパ
３６      規制部材
３７      シフト手段
４０      読取キャリッジ
４０ｆ    キャリッジフレーム（第２形態）
４１      光源ランプ
４１ａ    第１光源ランプ
４１ｂ    第２光源ランプ
４２      反射ミラー
４２ａ    第１ミラー
４４      光電変換センサ（読取センサ；画像読取手段）
４６      偏光手段
Ｒ１      読取光路
Ｒ２      読取光路
【図１】
2011135475.tif 000003
【図２】
2011135475.tif 000004
【図３】
2011135475.tif 000005
【図４】
2011135475.tif 000006